(57)【要約】【課題】本発明の目的は、その縁を芳香剤含有コーティングによりコーティングすることにより作製され、エッジングおよび／または表面処理の際の悪臭のマスキングおよび／または芳香付与に適したレンズブランクを提供することである。【解決手段】周縁により連結された表裏光学表面を有し、周縁が芳香剤含有仮コーティングによりコーティングされていることを特徴とするレンズブランク。【選択図】なし【特許請求の範囲】
【請求項１】
周縁により連結された表裏光学表面を有し、周縁が芳香剤含有仮コーティングによりコーティングされていることを特徴とするレンズブランク。
【請求項２】
前記芳香剤含有仮コーティングが、ポリマーマトリックスに埋め込まれた芳香剤含有マイクロカプセルを含むことを特徴とする請求項１に記載のレンズブランク。
【請求項３】
前記芳香剤含有仮マイクロカプセルが、少なくとも１つの親油揮発性の芳香剤を封入するポリマーシェルを含むことを特徴とする請求項２に記載のレンズブランク。
【請求項４】
前記シェルが尿素−ホルムアルデヒドシェルであることを特徴とする請求項３に記載のレンズブランク。
【請求項５】
前記シェルがシリカシェルであることを特徴とする請求項３に係るレンズブランク。
【請求項６】
前記シェルがポリオキシメチレン−尿素ポリマーシェルであることを特徴とする請求項３に記載のレンズブランク。
【請求項７】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番ならびにそれらの混合物の中から選択されることを特徴とする請求項４に記載のレンズブランク。
【請求項８】
前記親油揮発性の芳香剤が、オウラカシア製ピュアエッセンシャルオイル、レモングラス、ユーカリ、ベルガモット、シナモンリーフおよびそれらの混合物の中から選択されることを特徴とする請求項５に記載のレンズブランク。
【請求項９】
前記芳香剤は、果実、食物、花の香りおよびそれらの混合の香りから選択されることを特徴とする請求項６に記載のレンズブランク。
【請求項１０】
前記ポリマーマトリックスが、好ましくはポリビニルアルコールまたはポリエステルポリマーである水溶性ポリマーを含むことを特徴とする請求項２に記載のレンズブランク。
【請求項１１】
事前に所定幾何形状にエッジングを施した表裏光学表面および周縁を有し、該周縁が芳香剤含有永久コーティングによりコーティングされていることを特徴とする芳香付与レンズ。
【請求項１２】
前記芳香剤含有永久コーティングが、ポリマーマトリックスに埋め込まれた芳香剤含有マイクロカプセルを含むことを特徴とする請求項１１に記載の芳香付与レンズ。
【請求項１３】
前記芳香剤含有マイクロカプセルが、少なくとも１つの親油揮発性の芳香剤を封入するシェルを有することを特徴とする請求項１２に記載の芳香付与レンズ。
【請求項１４】
前記シェルが尿素−ホルムアルデヒドシェルであることを特徴とする請求項１３に記載の芳香付与レンズ。
【請求項１５】
前記シェルがシリカシェルであることを特徴とする請求項１３に記載の芳香付与レンズ。
【請求項１６】
前記シェルがポリオキシメチレン−尿素ポリマーシェルであることを特徴とする請求項１３に記載の芳香付与レンズ。
【請求項１７】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番ならびにそれらの混合物の中から選択されることを特徴とする請求項１４に記載の芳香付与レンズ。
【請求項１８】
前記親油揮発性の芳香剤が、オウラカシア製ピュアエッセンシャルオイル、レモングラス、ユーカリ、ベルガモット、シナモンリーフおよびそれらの混合物の中から選択されることを特徴とする、請求項１５に記載の芳香付与レンズ。
【請求項１９】
前記芳香剤が、果実、食物、花の香りおよびそれらの混合の香りから選択されることを特徴とする請求項１６に記載の芳香付与レンズ。
【請求項２０】
前記ポリマーマトリックスが、好ましくはポリビニルアルコールまたはポリエステルポリマーである水溶性ポリマーを含むことを特徴とする請求項１２に記載の芳香付与レンズ。
【請求項２１】
レンズのエッジングおよび／または表面処理時に、悪臭をマスキングするおよび／または芳香を与える、以下の工程を含む方法；
ａ）表裏光学表面および周縁を有するレンズブランクを提供し、
ｂ）前記周縁に芳香剤含有コーティング組成物を塗布し、
ｃ）前記周縁に芳香剤仮コーティングを形成するよう、前記芳香剤仮コーティング組成物を乾燥させ、縁コーティング済レンズブランクを得、
ｄ）前記縁コーティング済レンズブランクを所定幾何形状にエッジングおよび／または表面処理し、その際、前記縁コーティング済レンズブランクは、芳香剤仮コーティング組成物に含まれる芳香を発し、
ｅ）任意で、前記縁コーティング済レンズブランクに残存する余分な芳香剤仮コーティングを取り除き、エッジング済および／または表面処理済レンズを得る。
【請求項２２】
前記芳香剤含有組成物が、芳香剤含有マイクロカプセルと、結合剤として少なくとも１つの水溶性ポリマーとを含む、水性懸濁液状であることを特徴とする請求項２１に記載の方法。
【請求項２３】
前記芳香剤含有マイクロカプセルが、少なくとも１つの親油揮発性の芳香剤を封入するシェルを有することを特徴とする請求項２２に記載の方法。
【請求項２４】
前記シェルが尿素−ホルムアルデヒドシェルであることを特徴とする請求項２３に記載の方法。
【請求項２５】
前記シェルがシリカシェルであることを特徴とする請求項２３に記載の方法。
【請求項２６】
前記シェルがポリオキシメチレン−尿素ポリマーシェルであることを特徴とする請求項２３に記載の方法。
【請求項２７】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番、ならびにそれらの混合物の中から選択されることを特徴とする請求項２４に記載の方法。
【請求項２８】
親油揮発性芳香剤は、オウラカシア製ピュアエッセンシャルオイル、レモングラス、ユーカリ、ベルガモット、シナモンリーフ、およびそれらの混合物から選択されることを特徴とする請求項２５に記載の方法。
【請求項２９】
前記芳香剤が、果実、食物、花の香りおよびそれらの混合の香りから選択されることを特徴とする請求項２６に記載の方法。
【請求項３０】
前記水溶性ポリマーが、ポリビニルアルコールまたはポリエステルポリマーであることを特徴とする請求項２２に記載の方法。
【請求項３１】
表裏光学表面および周縁を有する芳香付与レンズの作製方法であって、以下の工程を含む方法；
ａ）周縁が所定幾何形状にエッジングされたレンズを提供し、
ｂ）前記周縁に芳香剤含有コーティング組成物を塗布し、
ｃ）前記周縁に芳香剤永久コーティングを形成するよう、前記芳香剤含有コーティング組成物を乾燥させて、芳香剤永続コーティング内に含まれる芳香を発するレンズを得る。
【請求項３２】
芳香剤含有組成物が、芳香剤含有マイクロカプセルと、結合剤として少なくとも１つの水溶性ポリマーとを含む、水性懸濁液状であることを特徴とする請求項３１に記載の方法。
【請求項３３】
前記芳香剤含有マイクロカプセルが、少なくとも１つの親油揮発性芳香剤を封入するシェルを有することを特徴とする、請求項３２に記載の方法。
【請求項３４】
前記シェルが尿素−ホルムアルデヒドシェルであることを特徴とする請求項３３に記載の方法。
【請求項３５】
前記シェルがシリカシェルであることを特徴とする請求項３３に記載の方法。
【請求項３６】
前記シェルがポリオキシメチレン−尿素ポリマーシェルであることを特徴とする請求項３３に記載の方法。
【請求項３７】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番、ならびにそれらの混合物の中から選択されることを特徴とする請求項３４に記載の方法。
【請求項３８】
前記親油揮発性の芳香剤が、オウラカシア製ピュアエッセンシャルオイル、レモングラス、ユーカリ、ベルガモット、シナモンリーフおよびそれらの混合物から選択されることを特徴とする請求項３５に記載の方法。
【請求項３９】
前記芳香剤が、果実、食物、花の香りおよびそれらの混合の香りから選択されることを特徴とする請求項３５に記載の方法。
【請求項４０】
前記水溶性ポリマーが、ポリビニルアルコールまたはポリエステルポリマーであることを特徴とする請求項３２に記載の方法。
【発明の詳細な説明】
【技術分野】
【０００１】
本発明は、レンズ、特には眼用レンズをエッジングおよび／または表面処理する際に、悪臭（不快臭）を低減または排除する、および／または芳香を与える技術分野に関する。
本発明はさらに、眼鏡の着用者にとって快適な微香を与える、芳香付与（放出）眼用レンズに関する。
【背景技術】
【０００２】
本願においては、「レンズ」という用語は、処理済、未処理にかかわらず、アイウェアまたは光学装置に用いられる、より具体的には眼用レンズに用いられる、いかなる有機または無機のガラス基板をも意味する。
眼用レンズは、該レンズの凹および凸の両光学表面の幾何（平面）形状を決定する、成形および／または表面処理／研磨の一連の処理によって形成される。
眼用ガラスの最終仕上げ工程は、収容するレンズフレームにレンズを適合できる所定の大きさとなるよう、レンズの周縁（または外周）を機械加工するエッジング工程である。エッジングは、通常、上記機械加工処理を行うダイアモンド研磨ホイールを含む研磨機で行われる。
【０００３】
ある種のレンズ、具体的には、ポリチオウレタンまたはポリエピスルフィドなどの硫黄由来の生成物を含むレンズは、一般的に、このエッジング中に、さらにはその前の表面処理中にも悪臭を発する。
本発明の目的の一つは、悪臭を発生させることなく、エッジングおよび／または表面処理を行える手段を提供することである。
【０００４】
レンズの硬化前に、レンズの成形体に芳香剤（防臭剤または香料剤）を注入することは以前から提唱されている。これについては、たとえば、炭化水素または複素環式の芳香付与化合物の少なくとも１つを０．００５〜１．０質量％含めることにより、プラスチックレンズのカッティングまたは研磨中に発生する悪臭を低減または排除する特許文献１が例である。
【０００５】
しかし、芳香付与化合物の配合割合が高くなると、レンズの機械的性質の劣化を招くし、発する芳香が強すぎることもある。さらに、香料の作用範囲は、レンズの研磨される部分（すなわち表面附近）のみであるため、レンズの成形体に含まれる芳香の大部分は、上記目的に対して実質的な作用を持っていない。
【０００６】
プラスチックレンズのエッジング中に発生する悪臭を低減するまたは防臭する方法を具体的に記述する従来技術文献のいくつかは、レンズのエッジングの際にレンズと接する冷却水に芳香剤を入れることを記載する。具体的には、特許文献２は、炭化水素または複素環式の芳香剤化合物の少なくとも１つを冷却水の質量に対して０．００１〜０．０１％の質量で冷却水と混合することを開示する。
しかし、この技術は、大量の芳香剤を用いる必要があるため、非常に費用がかかる。
【先行技術文献】
【特許文献】
【０００７】
【特許文献１】特開昭６１−１４７,２０１号公報
【特許文献２】特開平２−１７４,８４７号公報
【発明の概要】
【発明が解決しようとする課題】
【０００８】
したがって本発明の目的は、これらの難点を解決する手段にある。
【課題を解決するための手段】
【０００９】
具体的には、本発明の目的は、その縁を芳香剤含有コーティングによりコーティングすることにより作製され、エッジングおよび／または表面処理の際の悪臭のマスキングおよび／または芳香付与に適したレンズブランクである。
本願において、レンズブランクとは、表面処理またはエッジングという後続の工程を施す必要があるいかなるレンズをも意味する。
【００１０】
レンズブランクは最終的に以下を含む。
-  成形済みで、（所定（所望）幾何形状の２面の光学表面を有する）両面を表面処理された、エッジングのみを要するレンズ。これが好ましい例である。
-（着用者の目に近い）通常裏面である片面を表面処理する必要があるレンズ。
【００１１】
レンズの周縁にコーティングを施すことは従来技術において公知である。
したがって、国際公開第０２／０８８２０号パンフレットでは、眼鏡を前面から見たときにレンズフェースの周囲に沿って現れる白い輪の出現を低減し、眼鏡を側面から見たときにレンズの縁に現れる白い被膜の出現を低減することにより、眼鏡の外見上の美しさを向上するために、光学レンズの端部に色付きコーティングを施すことを具体的に記載している。この光学レンズはさらに、端部へ入射する光からのグレアを防止または低減することもできる。
【００１２】
眼鏡レンズを保持するマウントが各眼鏡レンズの縁を部分的にのみ格納する厚手の眼鏡レンズの場合、ドイツ特許公開第３,３２１,９３３号Ａ１が、前述したうち後者の技術的課題を解決するために、マウントがカバーしていない縁領域に不透明のコーティングを施すことを提言している。
国際公開第０２／２７３５９号パンフレットは、レンズの周縁をコーティングする方法に関しており、このコーティングは、レンズの製造において縁研磨を省く。このコーティングはさらに、湿気の侵入を防止し、溶剤やグリースなどからの化学的侵食から縁を保護する。このコーティング方法ではさらに、たとえば縁なし眼鏡フレームでの使用においてレンズのファッション性を提供できるよう、レンズの縁に色付きコーティングを施すこともできる。
【００１３】
最後に、特開平２−２２３,９０９号公報は、物理蒸着法(ＰＶＤ)により作製されるＳｉ０２フィルムと、窒化物、カーバイド、または酸化物を含むカラーフィルムと、ＰＶＤにより作製されるＴｉ０２フィルムとの、空気からの悪臭を制御するために効果的な３層のフィルムによってレンズをコーティングして作製される眼鏡用レンズを記載する。
したがって、レンズの縁に芳香剤含有コーティングを施すことについては、上記で引用の従来文献のいずれも、記載も示唆もしていない。
したがって本発明は、表裏光学表面および周縁を有し、その周縁が芳香剤含有仮コーティングによりコーティングされていることを特徴とするレンズブランクを提供する。
【発明を実施するための形態】
【００１４】
本願において、仮コーティングとは、最終的にはエッジングおよび／または表面処理中に部分的または完全に除去されるコーティングを意味する。
本願において、芳香剤含有仮コーティングとは、エッジングおよび／または表面処理に際し、気づく程度の芳香を与える、および／または悪臭をマスキングする仮コーティングを意味する。したがって、エッジングおよび／または表面処理中に発生し得る悪臭が低減または除去される。コーティングのこの一時的という特性によって、着用者は、レンズから匂いを感じることがない。
【００１５】
芳香剤含有仮コーティングはさらに、悪臭をマスキングするのではなく中和することができる材料を含む、および／または悪臭を感じる嗅覚を無くすことができる薬品を含む仮コーティングを意味する。
有益には、芳香剤仮コーティングは、不透明で、レンズの周縁に施されており、ほとんど目立たない。
好適には、芳香剤含有仮コーティングは、芳香剤含有マイクロカプセルを含み、この芳香剤含有マイクロカプセルは、（レンズブランクをエッジングする、または光学表面を表面処理する）機械操作がカプセルに施されるまで、保管中でも芳香を逃さない。これらのマイクロカプセルは、処理前の、たとえばエッジングおよび／または表面処理前の、あらゆるレンズ取り扱い中のコーティングの耐久性を向上するために、ポリマーマトリックスに埋め込まれる。
【００１６】
本願において、マイクロカプセルとは、不浸透性の固いシェルにより保護された揮発性材料が総量の８０％までを占める、中空コアまたは液体コアの球体として視覚化され、内部の充填材料を囲む切れ目のない流体不浸透性の外壁を意味する。
通常、マイクロカプセルは、１〜２０００ミクロン（０．００１〜２ｍｍ）、より習慣的には約１〜５００ミクロン（０．００１〜０．５ｍｍ）の範囲のミクロン直径である、ほぼ球形または回転楕円形の離隔した物体である。
【００１７】
本願において、芳香剤含有マイクロカプセルとは、好ましくは親油揮発性の少なくとも１つの芳香剤を封入したポリマーシェルまたは無機シェルを意味する。
本願において、マイクロカプセルは、有益には、少なくとも１つの親油揮発性の芳香剤を封入したポリマーシェルである。
ポリマーシェルは優良な防壁層であるため、揮発性芳香剤をわずかな匂いのみでシェル内に長期間（たとえば数ヶ月）保管できる。したがって、たとえば、レンズブランクの機械的エッジングおよび／または表面処理で、芳香剤を保管するマイクロカプセルをせん断するなど、外部シェルを単純なせん断により破壊したいときに、保護された揮発性の芳香剤のみが放出される。
【００１８】
レンズブランクの光学表面を表面処理する際、芳香剤が放出されるよう、縁コーティングは同時に表面処理機具によって部分的に機械加工される。
好ましくは、ポリマーシェルは、尿素−ホルムアルデヒドシェル、シリカシェル、またはポリオキシメチレン−尿素シェルである。
尿素−ホルムアルデヒドシェルを有する、芳香剤含有マイクロカプセルとして、オウラカシア製ピュアエッセンシャルオイル、レモングラス、ユーカリおよびベルガモット、またはインターナショナルフレグランスアンドテクノロジー社製ミント１９５６２１番、マルベリー１９５６２２番およびオレンジ１９５６２１番などの市販の芳香剤を封入した尿素−ホルムアルデヒドカプセルが挙げられる。
【００１９】
シリカシェルを有する、芳香剤含有マイクロカプセルは、好ましくは、オウラカシア製ピュアエッセンシャルオイル、レモングラス、ユーカリ、ベルガモット、シナモンリーフおよびそれらの混合物から選択される芳香剤を封入する。
ポリオキシメチレン−尿素ポリマーシェルを有するマイクロカプセルとして、３Ｍ社販売のフレグランスマイクロカプセルパウダー、パウダーバケットＴＭ、または、セレッサンス社提供の７０種以上の果実、食物および花の香りの中から選択された芳香剤が挙げられる。
本発明の芳香剤含有マイクロカプセルは、ポリマーマトリックスに埋め込まれる。ポリマーマトリックスは、好ましくは、水溶性ポリマーを含み、具体的にはポリビニルアルコールまたはポリエステルポリマーを含む。
【００２０】
本発明はさらに、レンズをエッジングおよび／または表面処理する際に、悪臭をマスキングする、および／または芳香を与える、以下を含む方法を提供する。
ａ）表裏光学表面および周縁を有するレンズブランクを提供し、
ｂ）該周縁に芳香剤含有コーティング組成物を塗布し、
ｃ）該周縁に芳香剤仮コーティングを形成するよう、前記芳香剤仮コーティング組成物を乾燥させ、縁コーティング済レンズブランクを得、
ｄ）該縁コーティング済レンズブランクを所定幾何形状にエッジングおよび／または表面処理し、その際、該縁コーティング済レンズブランクは、芳香剤仮コーティング組成物に含まれる芳香を発し、
ｅ）該縁コーティング済レンズブランクに残存する余分な芳香剤仮コーティングを取り除いてもよく、エッジング済および／または表面処理済レンズを得る。
【００２１】
本発明の芳香剤含有コーティング組成物は、好ましくは、上述の芳香剤含有マイクロカプセルと、結合剤として少なくとも１つの水溶性ポリマーとを含む水性懸濁液状である。
好ましくは、水溶性ポリマーはポリビニルアルコールまたはポリエステルポリマーである。
芳香剤含有コーティング組成物のレンズブランク周縁への塗布には、たとえばレンズの縁を刷毛塗りまたはロールコーティングするなどの、利便性を有するいかなる手段を用いてもよい。
【００２２】
本発明の他の実施形態では、芳香剤含有コーティングは永久的である。すなわち、すでにエッジング済のレンズの縁に塗膜される。このような永久的な芳香剤含有コーティングは、眼鏡の着用者に芳香を提供するために設計されている。
したがって、本発明はさらに、表裏光学表面と、事前に所定幾何形状にエッジングされた周縁とを有し、該周縁が芳香剤含有永久コーティングによりコーティングされていることを特徴とする芳香付与（放出）レンズを提供する。
【００２３】
本願において、芳香付与レンズとは、エッジング済で、快適な微香を永久的に眼鏡の着用者に提供するレンズを意味する。
本発明の芳香剤含有永久コーティングは、芳香剤含有仮コーティングと同様の特性、すなわち、上記のように芳香剤含有コーティングが、ポリマーマトリックスに埋め込まれた芳香剤含有マイクロカプセルを含むという特性を有する。
眼鏡の取り扱い中に起こり得る、コーティング済みの縁のいかなるせん断によっても、芳香を発する。
【００２４】
本発明の芳香付与レンズは、以下の方法により作製される。
ａ）周縁が所定幾何形状にエッジングされたレンズを提供し、
ｂ）該周縁に芳香剤含有コーティング組成物を塗布し、
ｃ）該周縁に芳香永久コーティングを形成するよう、該芳香剤含有コーティング組成物を乾燥させて、芳香永続コーティング内の芳香を付与するレンズを得る。
【００２５】
本発明に係る芳香付与レンズを作製するために、上記と同様の芳香剤含有コーティング組成物を用いることができる。
該芳香剤含有コーティング組成物は、芳香剤含有仮コーティングと同様の上記方法により塗布することができる。
芳香剤含有仮コーティングまたは芳香剤含有永久コーティングは、アイウェアまたは光学装置、特に眼用レンズに用いられる、有機または無機のいかなるガラス基板材料上に塗布してもよい。
【００２６】
有機材料は、ＣＲ３９ＴＭなどから得られるポリアリル材料、ポリ（ジエトキシビスフェノールＡ）ジメタクリレート、サーモプラスチックポリカーボネート（ＰＣ）、ポリチオウレタン、ポリエピスルフィドとすることができる。
本発明は以下の利点を有する。
１）  封入により芳香剤が安定するため、芳香付与期間が長い。
２）  エッジングおよび／または表面処理時に、芳香の放出量が最大である。
以下の実施例により本発明を説明するが、これらはいかなる点においても発明の範囲を限定するものではない。
【実施例】
【００２７】
Ｉ-芳香剤含有マイクロカプセルの作製
Ｉ．１．芳香剤含有尿素−ホルムアルデヒドマイクロカプセルの作製：米国特許第３,５１６,９４１号の実施例１に従う。
一日目：
尿素（アルドリッチ社製ＡＣＳ試薬９９％）２４ｇを、ホルムアルデヒド水溶液（アルルドリッチ社製３７％水に溶解）４８ｇに約２０分間溶解した。その後、トリエタノラミン（アルドリッチ社製）約１０滴を加えてｐＨ８にした。次いで、溶液を７０℃まで一時間加熱した後、脱イオン水１００ｇを加えた。
【００２８】
二日目：
上記溶液４３．２５ｇを取り出し、クエン酸（アルドリッチ社製１０％溶液）によりｐＨを５に調節した。オウラカシア製ピュアエッセンシャルオイル、レモングラス、ラベンダー、ユーカリ、ベルガモットおよびインターナショナルフレグランスアンドテクノロジー社製ミント１９５６２４番、マルベリー１９５６２２番、オレンジ１９５６２１番の中から選択された少なくとも１つの芳香剤１４ｇを加えた。溶液のｐＨを３．５に調節し、４０〜４５℃で４０分加熱した後、脱イオン水１５ｇを加えた。次いで溶液を３時間加熱した。その後冷却脱イオン水を加えた。全工程に亘って溶液は撹拌された。
精製
溶液を５０００ｒｐｍで１０分間遠心分離機にかけ、マイクロカプセルと、水および封入されていない種とを分離した。カプセルを脱イオン水で洗浄し、再度遠心分離機にかけた。
【００２９】
Ｉ．２．芳香剤含有シリカマイクロカプセルの作製：米国特許第６，２３８，６５０号の実施例１に従う。
テトラエトキシシラン（ＴＥＯＳ）１０ｇ、脱イオン水４０ｇおよび臭化セチルトリメチルアンモニウム４ｇの混合物に、（オウラカシア製ピュアエッセンシャルオイル、レモングラス、ラベンダー、ユーカリ、ベルガモットおよびシナモンリーフの中から選択された）ピュアエッセンシャルオイル１０ｇを加えた。この溶液を、０．５℃の冷却浴で高せん断ミキサーによって１時間混ぜた。１１．３ｐＨのＮａＯＨ５８ｇを加えた。溶液を室温で２４時間撹拌した。次に、溶液を５０００ｒｐｍで１０分間遠心分離機にかけて、マイクロカプセルを分離し、脱イオン水で洗浄し、再び遠心分離機にかけた。
【００３０】
II.  縁コーティング組成物の作製
本願に係る芳香剤含有組成物Ｃ１〜Ｃ１１は、３Ｍパウダーバケット９８５０ＴＭの名称で３Ｍ社から販売されている市販の芳香剤含有マイクロカプセル、または、上記で合成された芳香剤含有マイクロカプセルのいずれかを含む。組成物Ｃ１〜Ｃ１１は、下記の表１に記載の材料を以下のように混合することにより作製された：
・Ｃ１〜Ｃ１０の各組成物については、単純に材料を加えて、均一な粘度となるまで混ぜた。
・Ｃ１１の組成物については、セレッサンス社販売のセレッサンスインターナショナルＫＴ８２ＱＳを、脱イオン水２ｇにゆっくりと混入した。次いでこの混合物を、ＡＱ５５の名称でイーストマンケミカル社から販売の水溶性ポリエステル樹脂の水溶液１ｇに加え、均一な粘度となるまで混ぜた。
【００３１】
【表１】
2010134482.tif 000002
【００３２】
III．縁コーティングレンズの作製および該レンズのエッジング
所定幾何形状にエッジング済のレンズ、またはこれからエッジングを施す必要のあるレンズブランクのいずれかの周縁に、作製された各コーティング組成物を塗布した。
・加工済レンズのコーティングに関しては、以下の現象が見られた：
-レンズ縁上にコーティング組成物を乾燥塗布した際、縁がもとよりわずかに不透明となる以外、レンズの外見上の変化はなかった。
-コーティングされた加工済レンズが含む微香は、数日後に著しく放出された。
眼鏡の取り扱いを模擬実験するために、縁組成物Ｃ２〜Ｃ８、Ｃ１０、Ｃ１１でコーティングされたレンズの縁を（変化が現れるまで）人の爪でこすった。
縁がこすられる度に、芳香が放出された。
【００３３】
・ブランクレンズのコーティングに関して、以下の現象が見られた：
-組成物Ｃ９を含むレンズブランク数個の周縁にコーティングを施して一週間後、９つのレンズを乾式でエッジングした。最初のレンズをエッジングした後、匂いは機械内に存在した。数個のレンズをエッジングした後、すぐに、芳香は部屋全体に広がり、室内の数人の同席者もそれに気づいた。
-縁組成物ｎ°１でコーティングされたレンズは、匂いは与えたが、その縁はかき傷に弱かった（ひっかくと曇った）。
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
周縁により連結された表裏光学表面を有し、周縁のみが芳香剤含有仮コーティングによりコーティングされているレンズブランクであって、前記芳香剤含有仮コーティングがポリマーマトリックスに埋め込まれた芳香剤含有マイクロカプセルを含み、該マイクロカプセルが、芳香剤を封入するポリマーシェルまたは無機シェルを含み、前記シェルがせん断により芳香剤を放出する、レンズブランク。
【請求項２】
前記芳香剤含有マイクロカプセルが、少なくとも１つの親油揮発性の芳香剤を封入するポリマーシェルを含むことを特徴とする請求項１に記載のレンズブランク。
【請求項３】
前記シェルが尿素−ホルムアルデヒドシェルであることを特徴とする請求項２に記載のレンズブランク。
【請求項４】
前記シェルがシリカシェルであることを特徴とする請求項２に記載のレンズブランク。
【請求項５】
前記シェルがポリオキシメチレン−尿素ポリマーシェルであることを特徴とする請求項２に記載のレンズブランク。
【請求項６】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番ならびにそれらの混合物の中から選択されることを特徴とする請求項３に記載のレンズブランク。
【請求項７】
前記親油揮発性の芳香剤が、オウラカシア製ピュアエッセンシャルオイル、レモングラス、ユーカリ、ベルガモット、シナモンリーフおよびそれらの混合物の中から選択されることを特徴とする請求項４に記載のレンズブランク。
【請求項８】
前記芳香剤は、果実、食物、花の香りおよびそれらの混合の香りから選択されることを特徴とする請求項５に記載のレンズブランク。
【請求項９】
前記ポリマーマトリックスが、水溶性ポリマーを含むことを特徴とする請求項１に記載のレンズブランク。
【請求項１０】
事前に所定幾何形状にエッジングを施した表裏光学表面および周縁を有し、該周縁のみが芳香剤含有永久コーティングによりコーティングされている芳香付与レンズであって、芳香剤含有永久コーティングが、ポリマーマトリックスに埋め込まれた芳香剤含有マイクロカプセルを含み、前記マイクロカプセルが、芳香剤を封入するポリマーシェルまたは無機シェルを含み、前記シェルがせん断により芳香剤を放出する、芳香付与レンズ。
【請求項１１】
前記芳香剤含有マイクロカプセルが、少なくとも１つの親油揮発性の芳香剤を封入するシェルを有することを特徴とする請求項１０に記載の芳香付与レンズ。
【請求項１２】
前記シェルが尿素−ホルムアルデヒドシェルであることを特徴とする請求項１１に記載の芳香付与レンズ。
【請求項１３】
前記シェルがシリカシェルであることを特徴とする請求項１１に記載の芳香付与レンズ。
【請求項１４】
前記シェルがポリオキシメチレン−尿素ポリマーシェルであることを特徴とする請求項１１に記載の芳香付与レンズ。
【請求項１５】
前記親油揮発性の芳香剤が、オウラカシア製ピュアエッセンシャルオイル、レモングラス、ユーカリ、ベルガモット、およびインターナショナルフレグランスアンドテクノロジー社製ミント１９５６２４番、マルベリー１９５６２２番、オレンジ１９５６２１番ならびにそれらの混合物の中から選択されることを特徴とする請求項１２に記載の芳香付与レンズ。
【請求項１６】
前記親油揮発性の芳香剤が、オウラカシア製ピュアエッセンシャルオイル、レモングラス、ユーカリ、ベルガモット、シナモンリーフおよびそれらの混合物の中から選択されることを特徴とする、請求項１３に記載の芳香付与レンズ。
【請求項１７】
前記芳香剤が、果実、食物、花の香りおよびそれらの混合の香りから選択されることを特徴とする請求項１４に記載の芳香付与レンズ。
【請求項１８】
前記ポリマーマトリックスが、水溶性ポリマーを含むことを特徴とする請求項１０に記載の芳香付与レンズ。
【請求項１９】
レンズのエッジングおよび／または表面処理時に、悪臭をマスキングするおよび／または芳香を与える、以下の工程を含む方法；
ａ）表裏光学表面および周縁を有するレンズブランクを提供し、
ｂ）前記周縁のみに、芳香剤を封入するポリマーシェルまたは無機シェルを含み、前記シェルがせん断により芳香剤を放出する芳香剤含有マイクロカプセルと、結合剤として少なくとも１つの水溶性ポリマーとを含む、水性懸濁液状である芳香剤含有コーティング組成物を塗布し、
ｃ）前記周縁のみに芳香剤仮コーティングを形成するよう、前記芳香剤仮コーティング組成物を乾燥させ、縁コーティング済レンズブランクを得、
ｄ）前記縁コーティング済レンズブランクを所定幾何形状にエッジングおよび／または表面処理し、その際、前記縁コーティング済レンズブランクは、芳香剤仮コーティング組成物に含まれる芳香を発し、
ｅ）任意で、前記縁コーティング済レンズブランクに残存する余分な芳香剤仮コーティングを取り除き、エッジング済および／または表面処理済レンズを得る。
【請求項２０】
前記水溶性ポリマーが、ポリビニルアルコールまたはポリエステルポリマーであることを特徴とする請求項１９に記載の方法。
【請求項２１】
表裏光学表面および周縁を有する芳香付与レンズの作製方法であって、以下の工程を含む方法；
ａ）周縁が所定幾何形状にエッジングされたレンズを提供し、
ｂ）前記周縁のみに、芳香剤を封入するポリマーシェルまたは無機シェルを含み、前記シェルがせん断により芳香剤を放出する芳香剤含有マイクロカプセルと、結合剤として少なくとも１つの水溶性ポリマーとを含む、水性懸濁液状である芳香剤含有コーティング組成物を塗布し、
ｃ）前記周縁のみに芳香剤永久コーティングを形成するよう、前記芳香剤含有コーティング組成物を乾燥させて、芳香剤永久コーティング内に含まれる芳香を発するレンズを得る。
【請求項２２】
前記水溶性ポリマーが、ポリビニルアルコールまたはポリエステルポリマーであることを特徴とする請求項２１に記載の方法。
【請求項２３】
前記せん断がレンズブランクの機械的エッジングおよび／または表面処理によって生じる、請求項１〜９のいずれかに記載のレンズブランク。